(57)【要約】      （修正有）【課題】印刷機からの排出用紙を端部を良好に揃えスタックさせる。【解決手段】排出口９１から排出された矩形の用紙１００を、前壁２１と後壁２２と両側壁で規制しながら、紙受け台１上に積載する紙受け装置において、後壁２２において用紙を規制する凸部（第１凸体３１と第２凸体３２）と、紙受け台１上の気を吸引する吸引機構４、とを備える。第１凸体３１は所定寸法だけ突出し上下方向に延在、第２凸体３２は横方向両側の第１凸体３１の間を上下に仕切るように横方向に延び吸引口４１より上方の高さ位置に設けられている。この構成において、吸引機構４により空気を吸引することで、排出用紙の下方の空気を確実に吸引し、次に排出された用紙の前端が先に排出された用紙の後端に衝突するのを防ぎ用紙が排出口で詰まるのを防止している。【選択図】図４
2011042462.tif 000002
【特許請求の範囲】
【請求項１】
排出口から排出された矩形の用紙を、前後壁と両側壁とで規制しながら、紙受け台上に積載していく、紙受け装置において、
後壁にて用紙を規制する凸部と、
紙受け台上の空気を吸引する吸引機構と、
を備えており、
凸部は、第１凸体と第２凸体とを備えており、
第１凸体は、後壁から前方に向けて所定寸法だけ突出し、且つ、上下方向に延在しており、また、少なくとも２個、平行に、設けられており、
吸引機構は、横方向両側の第１凸体の間の後壁に形成された吸引口と、吸引口を通して空気を吸引する吸引手段と、を備えており、
第２凸体は、横方向両側の第１凸体の間を上下に仕切るように横方向に延びており、また、上記吸引口より上方の高さ位置に、設けられており、
第２凸体は、第１凸体の上記所定寸法より少し小さい寸法だけ、後壁から前方に向けて突出している、
ことを特徴とする紙受け装置。
【請求項２】
第２凸体は、紙受け台上において用紙の積載が不可能となる上限位置から、２０〜５０ｍｍ下方に、位置しており、且つ、第１凸体の上記所定寸法より１〜４ｍｍ小さい寸法だけ突出している、請求項１記載の紙受け装置。
【請求項３】
第２凸体は、紙受け台上において用紙の積載が不可能となる上限位置から、３０〜４５ｍｍ下方に、位置しており、且つ、第１凸体の上記所定寸法より１〜２ｍｍ小さい寸法だけ突出している、請求項１記載の紙受け装置。
【発明の詳細な説明】
【技術分野】
【０００１】
本発明は、印刷機本体等の排出口から排出された矩形の用紙を、前後壁と両側壁とで規制しながら、紙受け台上に積載していく、紙受け装置、に関するものである。
【背景技術】
【０００２】
一般に、印刷機に備え付けられている紙受け装置は、印刷機本体において処理されて排出された矩形の用紙を、紙受け台上に積載していくようになっている。紙受け台には、排出された用紙の落下を規制するための、前壁、後壁、及び左右の側壁が設けられている。すなわち、用紙は、前縁が前壁に、後縁が後壁に、右縁が右側壁に、及び左縁が左側壁に、それぞれ、接しながら、落下していき、紙受け台上に積載される。
【０００３】
ところで、このような紙受け装置においては、用紙が、紙受け台上の、上記４個の壁で囲まれた空間を、落下する際に、用紙の下方に存在している空気が抵抗となるために、用紙の後端部の落下速度が遅くなり、それ故に、図６に示されるように、次に排出された用紙１００の前端部１１１が先に排出された用紙１００の後端部１１２に衝突し、用紙１００が印刷機本体９の排出口９１にて詰まってしまう、という問題があった。そこで、この問題を解決するために、図７に示されるように、後壁２２の多数の貫通孔２２１を通して紙受け台１上の空気を吸引する機構が、提案されている（特許文献１、２参照）。なお、図６及び図７においては、紙受け台１、前壁２１、後壁２２、及び印刷機本体９の排出ローラ部９０が、示されている。
【先行技術文献】
【特許文献】
【０００４】
【特許文献１】実開昭６４−２９３４６号
【特許文献２】特開平４−２０９１５８号公報
【発明の概要】
【発明が解決しようとする課題】
【０００５】
図７に示されるような吸引機構を有する紙受け装置では、紙受け台１上に排出された用紙１００の下方の空気が吸引されるので、用紙１００の落下は、確かに速くなる。しかしながら、用紙１００が高い位置まで積載された状態においても、用紙１００の落下が速いので、図７に示されるように、排出口９１からの排出途中の用紙１００の前端部１１１が、直ぐに落下して、最上位に積載されている用紙１００に接触し、その結果、用紙１００が、最上位の用紙１００に擦れながら、排出される。そのため、排出ローラ部９０からの用紙１００の排出が不十分となり、その結果、用紙１００が印刷機本体９の排出口９１にて詰まってしまう、という問題があった。
【０００６】
本発明は、上記のような問題を解決できる紙受け装置を、提供することを目的とする。
【課題を解決するための手段】
【０００７】
本発明は、排出口から排出された矩形の用紙を、前後壁と両側壁とで規制しながら、紙受け台上に積載していく、紙受け装置において、後壁にて用紙を規制する凸部と、紙受け台上の空気を吸引する吸引機構と、を備えており、凸部は、第１凸体と第２凸体とを備えており、第１凸体は、後壁から前方に向けて所定寸法だけ突出し、且つ、上下方向に延在しており、また、少なくとも２個、平行に、設けられており、吸引機構は、横方向両側の第１凸体の間の後壁に形成された吸引口と、吸引口を通して空気を吸引する吸引手段と、を備えており、第２凸体は、横方向両側の第１凸体の間を上下に仕切るように横方向に延びており、また、上記吸引口より上方の高さ位置に、設けられており、第２凸体は、第１凸体の上記所定寸法より少し小さい寸法だけ、後壁から前方に向けて突出している、ことを特徴としている。
【発明の効果】
【０００８】
本発明においては、用紙が第２凸体の高さ位置まで積載されるまでは、紙受け台上の空気は、吸引口を通して吸引手段によって吸引される。したがって、排出された用紙の下方の空間の空気は、確実に吸引される。それ故、排出された用紙は、紙受け台上の空間内を速やかに落下する。したがって、本発明によれば、次に排出された用紙の前端部が先に排出された用紙の後端部に衝突するのを防止でき、それ故、用紙が排出口にて詰まるのを防止できる。
【０００９】
また、本発明においては、用紙が第２凸体の高さ位置まで積載された後は、紙受け台上の空気は、第１凸体と第２凸体との突出寸法の差の存在する部分のみを経て、吸引口を通して、吸引手段によって吸引される。したがって、吸引機構による吸引力は、少し弱い。それ故、排出口からの排出途中の用紙には、吸引力は殆ど及ばない。したがって、本発明によれば、排出口からの排出途中の用紙が、積載されている最上位の用紙に擦れながら排出されるのを、防止でき、それ故、用紙が排出口にて詰まるのを防止できる。
【図面の簡単な説明】
【００１０】
【図１】本発明の紙受け装置の斜視図である。
【図２】図１のII矢視図である。
【図３】図２のIII−III断面矢視図である。
【図４】本発明の紙受け装置の作動状態を示す断面略図である。
【図５】図４に続く作動状態を示す断面略図である。
【図６】従来の紙受け装置の作動状態を示す断面略図である。
【図７】従来の別の紙受け装置の作動状態を示す断面略図である。
【発明を実施するための形態】
【００１１】
図１は、本発明の紙受け装置の斜視図である。図２は、図１のII矢視図である。この紙受け装置１０は、印刷機本体９の排出口９１に連結されている。紙受け装置１０は、排出口９１より下方に位置する、略水平な、紙受け台１と、紙受け台１と共に、上開きの且つ平面視矩形の空間２００を形成するように、配置された、前壁２１、後壁２２、右側壁２３、及び左側壁２４と、を備えている。なお、後壁２２は、印刷機本体９の、排出口９１から下方に延びた垂直面からなっている。前壁２１及び両側壁２３、２４も、垂直に設けられている。紙受け装置１０は、排出口９１から排出されて来た矩形の用紙が、空間２００内に受け入れられ、４個の壁２１、２２、２３、２４によって規制されながら、落下して行き、紙受け台１上に積載されるようになっている。
【００１２】
図３は、図２のIII−III断面矢視図である。本発明の紙受け装置１０は、後壁２２にて用紙１００を規制する凸部３と、紙受け台１上の空気すなわち空間２００の空気を吸引する吸引機構４と、を備えている。凸部３は、後壁２２の横方向（矢印Ｘ方向）の中央部分に、設けられている。
【００１３】
凸部３は、第１リブ（第１凸体）３１と第２リブ（第２凸体）３２とを備えている。第１リブ３１は、後壁２２から前方に向けて寸法Ｌ１だけ突出し、且つ、上下方向に延在している。第１リブ３１は、少なくとも２個、ここでは３個が、等間隔に且つ平行に、設けられている。
【００１４】
吸引機構４は、後壁２２を貫通して形成された多数の吸引口４１と、後壁２２の後側に配置された吸引ファン（吸引手段）４２と、を備えている。図２に示されるように、吸引口４１は、横方向両側の第１リブ３１の間の領域に、形成されている。吸引ファン４２は、吸引口４１を通して空間２００の空気を吸引するよう、設けられている。
【００１５】
第２リブ３２は、横方向両側の第１リブ３１の間の領域を上下に仕切るように、横方向に延びている。また、第２リブ３２は、吸引口４１が形成されている領域よりも上方の高さ位置Ｈ１に、設けられている。そして、第２リブ３２は、後壁２２から前方に向けて寸法Ｌ２だけ突出している。寸法Ｌ２は、第１リブ３１の寸法Ｌ１よりΔＬだけ小さい。ΔＬは、好ましくは１〜４ｍｍ、より好ましくは１〜２ｍｍである。
【００１６】
更に、紙受け装置１０では、紙受け台１上において用紙１００の積載が不可能となる上限位置Ｈ０が、定まっている。この上限位置Ｈ０は、吸引機構４を作動させない状態において、用紙１００が、排出口９１にて滞ることなく、積載されている最上位の用紙１００上に排出され得る、最も高い位置である。そして、第２リブ３２の高さ位置Ｈ１は、上限位置Ｈ０からΔＨだけ下方に設定されている。ΔＨは、好ましくは２０〜５０ｍｍ、より好ましくは３０〜４５ｍｍである。なお、高さ位置Ｈ１及び上限位置Ｈ０は、紙受け台１の表面からの高さである。
【００１７】
次に、上記構成の紙受け装置１０の作動について説明する。
【００１８】
図４に示されるように、印刷機本体９を作動させるととともに、吸引ファン４２を作動させると、用紙１００が、連続して、空間２００へ排出される。空間２００へ排出された用紙１００は、前縁１０１が前壁２１に、後縁１０２が第１リブ３１の先端３１１に、右縁が右側壁２３に、及び左縁が左側壁２４に、それぞれ、接しながら、落下して行く。このとき、吸引ファン４２によって、用紙１００の下方の空気が、矢印Ａに示されるように、確実に吸引されるので、用紙１００は、下方の空気の抵抗を受けることなく、速やかに、落下して行く。すなわち、用紙１００は、前壁２１、第１リブ３１の先端３１１、右側壁２３、及び左側壁２４によって、規制されながら、速やかに、落下して行く。したがって、図６に示されるような問題は、生じない。そして、落下した用紙１００は、紙受け台１上に、順次、積載されていく。
【００１９】
そして、用紙１００が第２リブ３２の高さ位置Ｈ１まで積載されると、紙受け装置１０は、図５に示されるように作動する。すなわち、排出されて空間２００内に位置した用紙１００の下方の空気は、第２リブ３２が在るために、矢印Ｂに示されるように、吸引ファン４２によって、ΔＬの存在する部分（隙間３３）のみを通して、吸引される。したがって、吸引機構４によって空間２００から空気を吸引する吸引力は、少し弱まる。しかしながら、用紙１００が高さ位置Ｈ１まで積載されているので、排出された用紙１００の下方の空間は、かなり小さくなっている。したがって、吸引力が少し弱くても、用紙１００の下方の空気は確実に吸引され、用紙１００は速やかに落下する。一方、吸引機構４による吸引力が少し弱くなっているので、排出口９１からの排出途中の用紙１００には、吸引力は殆ど及ばない。したがって、図７に示されるような問題は、生じない。
【００２０】
特に、隙間３３のΔＬが、１〜４ｍｍ、更には１〜２ｍｍであり、また、第２リブ３２の高さ位置Ｈ１に係るΔＨが、２０〜５０ｍｍ、更には３０〜４５ｍｍである場合には、用紙１００が高さ位置Ｈ１まで積載された後の、紙受け装置１０の上記作動が、良好である。
【００２１】
更に、凸部３における隣接する第１リブ３１の間の間隔（以下、リブピッチと称する）は、次のように設定するのが好ましい。
【００２２】
（１）第１リブ３１が２個の場合、リブピッチは８０〜９０ｍｍである。
（２）第１リブ３１が３個の場合、リブピッチは４０〜７４ｍｍであり、且つ、両側の第１リブ３１の間の間隔は８０〜１４８ｍｍである。
（３）第１リブ３１が４個以上の偶数個の場合、中央の２個の第１リブ３１のリブピッチが８０〜９０ｍｍ、又は、両側の第１リブ３１の間の間隔が８０〜１４８ｍｍ、のいずれかに設定され、それ以外のリブピッチは任意である。
（４）第１リブ３１が５個以上の奇数個の場合、中央の３個の第１リブ３１のリブピッチが４０〜７４ｍｍ、又は、両側の第１リブ３１の間の間隔が８０〜１４８ｍｍ、のいずれかに設定され、それ以外のリブピッチは任意である。
【００２３】
リブピッチが狭すぎる場合、吸引機構４による吸引力が不足し、また、Ｂ４、Ａ３等の大サイズの用紙を十分に規制できず、用紙が不揃いとなる。一方、リブピッチが広すぎる場合、Ａ４以下の小サイズの用紙を十分に規制できず、用紙が不揃いとなる。しかしながら、リブピッチを上記の範囲に設定すれば、そのような不具合を解消できる。
【００２４】
特に、上記（１）の場合においては、リブピッチの最大値が最小サイズのハガキの短辺寸法である９０ｍｍであるので、ハガキの後縁を充分に規制できる。また、リブピッチの最小値が８０ｍｍであるので、Ｂ４、Ａ３等の大サイズの用紙の後縁を規制する際に、用紙が斜行するのを防止して、紙揃えを良好に保つことができ、また、吸引機構４によって吸引できる範囲を確保して、吸引力不足となるのを防止できる。
【００２５】
また、上記（２）の場合においては、リブピッチの最小値が４０ｍｍであり、すなわち、両側の第１リブ３１の間の間隔の最小値が８０ｍｍであるので、上記（１）の場合のリブピッチの最小値の場合と同様の効果を得ることができる。また、リブピッチの最大値が７４ｍｍであるので、全ての第１リブ３１が、薄手の用紙（厚紙以外の用紙）の最小サイズであるＡ５用紙の後縁を支持でき、それ故、用紙が斜行するのを防止して、紙揃えを良好に保つことができる。何故なら、薄手の用紙は、吸引力の影響を受け易いために、第１リブ３１側に積極的に引き寄せられながら積載されていくので、用紙の後縁が、全ての第１リブ３１に当接でき、それによって、良好に規制されるからである。一方、Ａ５用紙よりも小さいハガキは、厚手の用紙であるために、吸引力の影響をあまり受けず、第１リブ３１側に積極的に引き寄せられることなく、積載され、また、３個の第１リブ３１の内の中央の第１リブ３１がハガキの後縁を規制できるので、良好に揃えられる。
【００２６】
なお、本発明の紙受け装置は、用紙を加工又は処理して排出する機器であるならば、印刷機に限らず、他の機器にも、使用できる。
【００２７】
また、第１リブ３１は、２個又は４個以上、設けられてもよい。
【００２８】
更に、第１リブ３１又は第２リブ３２は、リブ以外の凸状部材でもよい。
【産業上の利用可能性】
【００２９】
本発明の紙受け装置は、用紙を速やかに積載できるとともに用紙が排出口にて詰まるのを防止できるので、産業上の利用価値が大である。
【符号の説明】
【００３０】
１  紙受け台  １０  紙受け装置  １００  用紙  ２１  前壁  ２２  後壁  ２３  右側壁  ２４  左側壁  ３  凸部  ３１  第１リブ（第１凸体）  ３２  第２リブ（第２凸体）  ４  吸引機構  ４１  吸引口  ４２  吸引ファン（吸引手段）
【図１】
2011042462.tif 000003
【図２】
2011042462.tif 000004
【図３】
2011042462.tif 000005
【図４】
2011042462.tif 000006
【図５】
2011042462.tif 000007
【図６】
2011042462.tif 000008
【図７】
2011042462.tif 000009